(57)【要約】【課題】  サイドローラー上方に設置されている従来の揚網装置は網挟持型ローラーが主で、揚網時に大きな荷重が掛かると揚網力が大きく減少するため、挟持型ローラーとは別に網をローラーに巻き付けて牽引する揚網機を取り付けるのが常であった。【解決手段】  船体舷側部に設けられたサイドローラー上方に設置され、俯仰旋回自在に設けられた揚網用装置に、後方に装着した油圧モーターにより駆動回転可能で、且つ先端方向に向かって僅かにテーパーを設けた牽引ローラー及び、同様に油圧モーターにより駆動回転可能な挟持ローラーとを圧接解放可能に取り付けて、軽荷重の牽引時には牽引ローラー及び挟持ローラー間に網を挟持して牽引を行い、重荷重時には牽引ローラーに巻き付けた網を挟持ローラーで抑えることで牽引力を大幅に増加させて、単体で複数の牽引方補による揚網を可能に設ける。【選択図】図１
2015167557.tif 000002
【特許請求の範囲】
【請求項１】
船体舷側部に設けられたサイドローラー上方に設置され、俯仰旋回自在に設けられた揚網用装置に於いて、
装着した油圧モーターにより駆動回転可能で、且つ先端方向に向かって僅かにテーパーを設けた長型ローラーを有する牽引ローラー及び、装着した油圧モーターにより駆動回転可能で、且つ先端方向に向かって僅かにテーパーを設けた短型ローラーを有する挟持ローラーとを圧接解放可能に取り付け、軽荷重の牽引時には牽引ローラー及び挟持ローラーとの間に網を挟持して牽引を行い、重荷重時には牽引ローラーに巻き付けた網を挟持ローラーで押さえる事により牽引力を大幅に増加させる事を可能に設け、単体で複数の牽引方法による揚網を可能に設けた事を特長とする旋網の揚網装置。
【発明の詳細な説明】
【技術分野】
【０００１】  本発明は旋網漁船に於いて魚網の揚網時に使用される揚網装置に関する。【０００２】  詳細には船体舷側に設けられたサイドローラーの後方上部に設置され、揚網を行う揚網装置に関する。
【背景技術】
【０００３】  旋綱漁業に於いて、魚を捕獲する為に海中に投綱された網は投網終了後直ちに環捲き作業を実施して網の底部を閉じ、その後速やかに網の端部からネットホーラー等の揚網機及び網捌きローラー等によって一般的には船尾部より、網船の形状によっては舷側部から順次甲板上に捲き揚げられる。【０００４】    この作業と並行して、魚を閉じ込めた部分の網は船体舷側部に設置したサイドローラー等を用いて、舷側より順次揚網して徐々に網を絞って行き、逃げ場をふさぎながら網に掛かった魚を閉じ込めていく。
【発明の概要】
【発明が解決しようとする課題】
【０００５】  通常海中より船内に揚網される網は、まず船尾部に設置された大型の揚網装置、例えばネットホーラーなどで海中より順次牽引され、その後デリックブーム或いはマリンクレーン等に懸架された網捌きローラーで極めて高い位置まで牽引され、その位置から網台上に降されていく。【０００６】  この作業とは別に、網の中に閉じ込められた魚を採補するために網底より魚捕部までを船体舷側に設けられたサイドローラー等で揚網する作業も同時進行する事になる。【０００７】  さらに、大きな荷重がかかる舷側からの底網の揚網作業に対応するために、サイドローラーの上部後方には網挟持型や網捲き取り型の揚網装置を設けて、機械の力で揚網を進めるのが一般的である。【０００８】  揚網時において懸念されるのは、せっかく漁獲した魚が逃げ場を求めて底方向に突進したり、潮流に流されたりする事があると、その影響で作業員にさらに大きな負担が掛かり、その影響により舷側からの揚網が遅れて魚が揉み合って魚体が傷む原因となっていた。【０００９】  さらに大量の魚を閉じ込めた水中の網は非常に重量があるので、船の揺動に手元の網が同調して大きく揺れ動いた時、その弾みで作業員が引きずられたり、時には弾き飛ばされる事もあり非常に危険な作業でもあった。【００１０】  この問題を解決するために網挟持型揚網装置や船体固定式の網捲き取り型ローラーが開発され併設装備されるようになり、荷重が小さい時は網を挟持して牽引し、また荷重が大きい時はローラーで網を巻き取ることで揚網時の荷重変化に対応して来たものの、それぞれ逆の時は使えないという欠点がありその解消が求められていた。
【課題を解決するための手段】
【００１１】  本発明はこれまで使用されてきた従来の網挟持型揚網装置及び船体に固定した網捲き取りローラーを併設する方法を改め、単独で従来の揚網装置と同様な効果を実現出来る揚網装置を提供するものである。【００１２】  すなわち、軽荷の揚網時には網挟字型揚網装置と同様に網を挟持牽引して揚網作業を行い、網に大きな荷重が加わった時には網捲き取りローラーと同様に網の捲き取り牽引作業を可能にして、従来型の揚網装置の利点を併せ持つ事で揚網時の荷重変化の問題を同時に解決するものである。【００１３】  これによって揚網時の条件に応じて網の牽引方法を調整し、揚網の効率を向上させる事が可能になる。
【発明の効果】
【００１４】  本発明における揚網装置を用いる事により網の荷重変化に応じて牽引方法を変え、もって１種類だけの機械力にて迅速かつ強力に網を牽引する事で作業員の労力を軽減することが出来る。【００１５】  本揚網装置は上記のように２種類の揚網装置で行っていた従来の揚網作業を１台のみで実施することが可能で有用この上ない。【００１６】  また、従来は複数の作業員で複数の装置により行っていた作業を単独で合理的および効率的に行えるので、作業負担の軽減を計ることが可能である。【００１７】  さらに、本発明に於ける揚網装置はスムーズでスピーディな揚網作業の進捗を可能にしたもので、迅速さと安全性を求められる旋網の揚網作業に大きく貢献出来る。
【発明を実施するための最良の形態】
【００１８】  本発明は発明を実施するための最良の方法として、以下に述べるような構造とする。【００１９】  油圧モーターの回転により旋回自在に設けた旋回台の下部に、クレビス金具を設ける。【００２０】  後方に軸受けを設け且つ中央部に俯仰軸受けを有するローラー台と旋回台のクレビス金具とを俯仰軸で回動可能に取り付ける。【００２１】  ローラー台後方には油圧シリンダーを取り付け、当該油圧シリンダーの伸縮によりローラー台を矢印Ａ−Ａ′に俯仰可能に設ける。【００２２】  ローラー台下部には、油圧モーターで回動自在に設けた駆動軸に、先端に向かって僅かなテーパーを有する長型ローラを取り付けた牽引ローラーを装着する。【００２３】  当該ローラー台前方上部には挟持アームを軸で回動自在に設け、上方に取り付けた油圧シリンダーにより挟持アームを矢印Ｂ−Ｂ′に開閉自在に設ける。【００２４】  挟持アームにはローラー金具を設け、油圧モーターで回動自在に設けた駆動軸に、先端に向かって僅かなテーパーを有し且つ牽引ローラーよりも短い長さに形成した短型ローラを取り付けた挟持ローラーを装着する。【００２５】  軽荷重時は上記牽引ローラーと挟持ローラーとの間に網を挟持し、油圧モーターの回転力により網を牽引可能に設けてある。【００２６】  重荷重時には牽引ローラーに網を巻き付け、さらに挟持ローラーで巻き付けた網を押さえて、油圧モーターの牽引力により網を牽引可能に設けたものである。
【図面の簡単な説明】
【００２７】
【図１】  本発明の正面図
【図２】  本発明の側面図
【図３】  本発明に係る揚網装置の俯仰説明図
【図４】  本発明に係る揚網装置の開閉説明図
【図５】  軽荷重時の網の牽引状態の説明図
【図６】  重荷重時の網の牽引状態の説明図
【図７】  使用時の説明図
【実施例】
【００２８】    船体１０１に固定したブーム１に取り付け可能に形成し、且つ油圧モーター２の回転により旋回自在に設けた旋回台３の下部に、軸受け４を有するクレビス金具５を設ける。【００２９】  後方に軸受け６を設け且つ中央部に俯仰軸受け７を設けたローラー台８の、俯仰軸受け７と旋回台３のクレビス金具５とを俯仰軸９で回動可能に取り付ける。【００３０】  ローラー台８後方の軸受け４には油圧シリンダー１０を取り付け、シリンダー１０のロッド金具１１をクレビス金具５の軸受け４に軸１２で取り付けて、当該油圧シリンダー１０の伸縮によりローラー台８を矢印Ａ−Ａ′に回動可能に設ける。【００３１】  ローラー台８下部にはケース回転型油圧モーター１３で回動自在に設けた牽引ローラー装置１４を取り付ける。【００３２】  当該牽引ローラー装置１４には駆動軸１５の前方に、後端部は円筒形で先端に向かって僅かなテーパーを有するゴム状弾性体で形成した長型ローラーからなる牽引ローラ１６を取り付けてある。【００３３】  当該ローラー台８前方上部には軸受け１７を設け、また側面には挟持アーム１８を軸１９で回動自在に設け、上方に取り付けた油圧シリンダー２０をローラー台８上部の軸受け１７と連結して、シリンダー２０の伸縮により挟持アーム１８を矢印Ｂ−Ｂ′に回動自在に設ける。【００３４】  挟持アーム１８には挟持ローラー固定金具２１を取り付けてあり、当該ローラー金具２１にはケース回転型油圧モーターで回転自在に設けた挟持ローラー装置２２を取り付けてある。【００３５】  当該挟持ローラー装置２２には駆動軸２３の前方に後端部は円筒形で先端に向かって僅かなテーパーを有するゴム状弾性体で形成した挟持ローラー２４を取り付けてある。【００３６】  なお、本挟持ローラー２４は、牽引ローラー１６と同形状に設けてあるが、ローラーの長さは牽引ローラー１６より短く形成してある。【００３７】  それぞれのローラー装置１４・２２には安全確保のための保護枠２５・２６が取り付けてある。【００３８】  揚網時に於いて、船体１０１舷側の数カ所に設置した本揚網装置１０２で揚網する場合、網１０３に掛かる荷重が小さい場合は本揚網装置１０２のローラー台を矢印Ａ方向に回動させ、牽引ローラー１６と挟持ローラー２４の間に網１０３を挟持して矢印Ｃ方向に牽引揚網するが、荷重が大くなった場合はその状態のままだとスリップして揚網出来なくなる。【００３９】  従来はこの時に別に設置した捲き取りローラーに網１０３を巻き換えて、捲き取りながら牽引するという手間を掛けていたが、本揚網装置１０２ではローラー台８を矢印Ａ方向に回動させて水平に向け、網１０３を牽引ローラー１６に外側から矢印Ｄ方向に巻き付け、挟持ローラー２４を押さえローラーとして利用する事で強力な牽引力を発揮させ揚網することが出来る。【００４０】  なお、本発明における油圧の回路はこれを図示省略する。
【符号の説明】
【００４１】  １            ブーム
２            油圧モーター
３            旋回台
４            軸受け
５            クレビス金具
６            軸受け
７            俯仰軸受け
８            ローラー台
９            俯仰軸
１０            油圧シリンダー
１１            ロッド金具
１２            軸
１３            油圧モーター
１４            牽引ローラー装置
１５            駆動軸
１６            牽引ローラー
１７            軸受け
１８            挟持アーム
１９            軸
２０            油圧シリンダー
２１            ローラー金具
２２            挟持ローラー装置
２３            駆動軸
２４            挟持ローラー
２５            保護枠
２６            保護枠
１０１          船体
１０２          揚網装置
１０３          網
【図１】
2015167557.tif 000003
【図２】
2015167557.tif 000004
【図３】
2015167557.tif 000005
【図４】
2015167557.tif 000006
【図５】
2015167557.tif 000007
【図６】
2015167557.tif 000008
【図７】
2015167557.tif 000009